【事件の表示】
　特許第２９７７２２９号「監視装置」の請求項１、２に係る特許に対する特許異議の申立てについて、次のとおり決定する。
【結　論】
　訂正を認める。
　特許第２９７７２２９号の請求項１に係る特許を維持する。
【理　由】
 I【手続きの経緯】
　特許第２９７７２２９号の請求項１及び２に係る発明についての出願は、平成２年５月８日に特許出願され、平成１１年９月１０日にその特許の設定登録がなされ、その後、その特許について、異議申立人金子和弘より特許異議の申立てがなされ、取消しの理由が通知され、その指定期間内である平成１２年１０月１０日に訂正請求がなされたものである。
II【訂正の適否についての判断】
ア．訂正の内容
　特許権者が求めている訂正の内容は、以下のａ〜ｄのとおりである。
ａ．特許請求の範囲の請求項２を削除する。
ｂ．明細書第６頁第５行〜第８頁第３行の「先ず、請求項１に対応する……カメラリモート操作手段とを設けた構成である。」とある記載を、「請求項１に記載の発明は上記課題を解決するために、現場の任意の場所に設置された現場監視用テレビカメラと、グラフィックコントローラによりカメラシンボル、プラントプロセスフローおよび可変データを含む監視制御用グラフィック画像を作成して監視制御用フレームメモリに格納するとともに、任意の周期で前記可変データを変更する監視制御画像作成手段と、この監視制御画像作成手段によって作成された監視制御用グラフィック画像を読み出して表示装置に表示する画像表示手段と、前記カメラシンボルの指定に基づき、前記表示装置に表示されている監視制御用グラフィック画像の所定の場所に予め定められたウィンドウ制御シンボルをもつ監視カメラウィンドウを表示するとともに、この監視カメラウィンドウ内に前記テレビカメラからの現場監視映像を表示するカメラ映像表示手段とを備えた構成である。」と訂正する。
ｃ．明細書第９頁第９行〜第１０頁第１０行の「この状態において……監視能力の向上に寄与する。」とある記載を、「この状態において監視制御用グラフィック画像の中のカメラシンボルを指定すると、表示装置に表示されている監視制御用グラフィック画像の所定の場所に所定の大きさのウィンドウ制御シンボルをもつ監視カメラウィンドウを表示し、この監視カメラウィンドウ内に前記テレビカメラからの映像を表示し、同一画面上に監視制御用グラフィック画像およびカメラ映像を映し出すことにより、オペレータの負担軽減および操作性を高めることができる。」と訂正する。
ｄ．明細書第２５頁第５行〜第１１行の「請求項１の発明では、……操作性および監視性能の向上に寄与する。」とある記載を、「請求項１記載の発明によれば、オペレータが同一の場所で現場の状況の他、プラント系統の例えばプロセス量の状態変化を監視でき、これによりオペレータの負担軽減に役立つとともに、省スペース監視制御を実現できる。また、監視カメラウィンドウのウィンドウ制御シンボルの中の任意の制御シンボルを指定することにより、例えば監視カメラウィンドウを消したり、監視カメラウィンドウを任意の場所に移動させることができ、監視カメラウィンドウに邪魔されずにプラント系統の監視したい場所を確実に監視でき、ひいては監視性能の向上を図ることができる。」と訂正する。
イ．訂正の目的の適否、新規事項の有無及び拡張・変更の存否
　上記訂正事項ａは、請求項２を削除するものであるから特許請求の範囲の減縮を目的とした明細書の訂正に該当し、また、上記訂正事項ｂ〜ｄは、上記訂正事項ａにおいて請求項２を削除したことに伴い、これと整合を図るために発明の詳細な説明における請求項２に関連する記載を削除したものであるから、明りょうでない記載の釈明を目的とした明細書の訂正に該当し、いずれも新規事項の追加に該当せず、実質上特許請求の範囲を拡張し、又は変更するものでもない。
ウ．むすび
　以上のとおりであるから、上記訂正は、特許法第１２０条の４第２項及び第３項において準用する特許法第１２６条第２項及び第３項の規定に適合するので、当該訂正を認める。
III【特許異議の申立てについての判断】
（１）申立ての理由の概要
　申立人金子和弘は、証拠として甲第１号証：特開昭６１−１８７４８０号公報、甲第２号証：特開昭６２−５２９３号公報、甲第３号証：特開昭６１−２２２１４号公報、甲第４号証：特開昭６２−２２６７８６号公報を提出し、請求項１及び２に係る発明は、甲第１号証ないし甲第４号証の記載に基づいて当業者が容易に発明をすることができたものであり、特許法第２９条第２項の規定により、特許を受けることができないものであるから、特許を取り消すべき旨、主張している。
（２）本件発明
　訂正明細書の請求項１に係る発明（以下「本件発明」という。）は、訂正明細書の特許請求の範囲の請求項１に記載された次のとおりのものである。
「現場の任意の場所に設置された現場監視用テレビカメラと、グラフィックコントローラによりカメラシンボル、プラントプロセスフローおよび可変データを含む監視制御用グラフィック画像を作成して監視制御用フレームメモリに格納するとともに、任意の周期で前記可変データを変更する監視制御画像作成手段と、この監視制御画像作成手段によって作成された監視制御用グラフィック画像を読み出して表示装置に表示する画像表示手段と、前記カメラシンボルの指定に基づき、前記表示装置に表示されている監視制御用グラフィック画像の所定の場所に予め定められたウィンドウ制御シンボルをもつ監視カメラウィンドウを表示するとともに、この監視カメラウィンドウ内に前記テレビカメラからの現場監視映像を表示するカメラ映像表示手段とを備えたことを特徴とする監視装置。」
（３）引用刊行物記載の発明
　本件発明に対して、当審が通知した取消理由で引用した刊行物１：特開昭６１−１８７４８０号公報（上記甲第１号証）には、「プロセス監視装置」（発明の名称）に関し、図面と共に次の１、２のとおりの記載がある。
１．「第１図に示すように、このプロセス監視装置は、被監視物（５）を撮像するための遠隔操作可能なビデオカメラ（４）とプロセスコンソール（１１）とで構成されている。プロセスコンソール（１１）は、ＣＲＴ（１２）と、監視対象プロセスの構成を示す監視用画像を作り出す画像作成装置（１３）と、監視対象プロセスの異常を検出する検出装置（１４）と、検出された異常個所に関する信号を受け、予め記憶されている当該異常個所とビデオカメラ（４）との位置関係に関する情報に基きビデオカメラ（４）を前記異常個所に指向させ撮像を行なわせるビデオカメラ操作装置（１５）と、ビデオカメラ（４）により撮像されたビデオ映像と画像作成装置（１３）によるプロセスの構成を示す監視用画面とを合成してＣＲＴ（１２）上に表示する画像合成装置（１６）とを具備している。
　上記のように構成された本発明一実施例のプロセス監視装置においては、プロセスコンソール（１１）は画像作成装置（１３）によって作り出された監視対象プロセスの構成を示す監視用画面をＣＲＴ（１２）上に表示する。検出装置（１４）によって被監視物５から異常が検出されると、監視用画面上に異常発生情報が例えば異常発生個所が点滅するなどの態様で表示される。ここでオペレータが監視用画面上の異常発生個所を指で触れることによって指定すると、ビデオカメラ装置（１５）に異常個所に関する信号が入力され、予め記憶されている異常個所とビデオカメラ（４）との位置関係に関する情報に基き、ビデオカメラ操作装置（１５）はビデオカメラ（４）を操作し、異常を起こした被監視物（５）の映像をとらえる。このビデオカメラ（４）によるビデオ映像は画面合成装置（１６）に送られ、ここで画像作成装置（１３）による監視用画面と合成され、その結果、ＣＲＴ（１２）の画面上では監視用画面中に小さな画面が現れ、ビデオカメラ（４）からの映像が映し出される。」（公報第２頁右上欄第７行〜同頁右下欄第２行）
 ２．「オペレータはプロセスコンソール（１１）のＣＲＴ画面上に点滅などによって表示された異常発生個所を指定するだけで、自動的に指定された異常個所にビデオカメラ（４）が指向されて撮像が行なわれ、その異常を起こした被監視物のビデオカメラによる映像をＣＲＴ画面上で見ることができる。」（公報第２頁右下欄第９行〜第１５行）
　同じく引用した刊行物２：特開昭６２−５２９３号公報（上記甲第２号証）には、「ウインドウ表示制御方式」（発明の名称）に関し、図面と共に次のとおりの記載がある。
「第２図は、ウインドウの移動、サイズ変更、スクロール等、ウインドウ画面の変更指定時にＣＲＴディスプレイ１３に選択的に表示されるウインドウ枠と、その枠内の各領域に割付けられたコマンドメニュを示したもので、ここでは例えばマウスのカーソル移動操作でウインドウ枠（Ｆ）内の領域Ａ１，Ａ２の何れかを指定することによって当該ウインドウの水平方向への移動、又はサイズ変更が選択され、領域Ａ３，Ａ４の何れかを指定することによって当該ウインドウの垂直方向への移動、又はサイズ変更が選択され、領域Ａ５，Ａ６、又はＡ７，Ａ８の何れかを指定することによって当該ウインドウのベクトル方向への移動、又はサイズ変更が選択される。」（公報第２頁右下欄第１９行〜第３頁左上欄第１２行）
　同じく引用した刊行物３：特開昭６１−２２２１４号公報（上記甲第３号証）には、「プロセス表示装置」（発明の名称）に関し、図面と共に次のとおりの記載がある。
「プロセスデータ模擬手段７では対話処理手段９より模擬開始要求が通知されると、記憶装置６の所定の領域より要求画面の表示項目情報データ５０を読み込み定周期毎に各可変部表示制御データ５２に従い全ての表示項目について模擬データを作成し、ホスト計算機２から伝送される伝送データと同じフォーマットにて、伝送データが伝送処理手段５にて保存される保存領域に模擬データを保存後、プロセス表示手段８に可変部表示要求を出す。プロセス表示手段８では、可変部表示要求を受けると、模擬データを記憶装置６より読み込み、表示項目情報データ５０に示す各可変表示制御データ５２に従い、各可変部の表示データを作成し、表示制御装置１０を介してカラーCRT表示装置１２に可変部の表示をする」（公報第２頁右下欄第１９行〜第３頁左上欄第１３行）
　同じく引用した刊行物４：特開昭６２−２２６７８６号公報（上記甲第４号証）には、「監視装置」（発明の名称）に関し、図面と共に次の１、２のとおりの記載がある。
１．「オペレータがモニタ画面２に表示された文字記号「 ＰＡＮ／ＴＩＬＴ 」に接触すると、タッチチスクリーン４からの出力変化によってタッチスクリーン制御部１１によりパン・チルト機能選択が検出される。そうすると、このタッチスクリーン制御部１１からはコメント表示制御部３１に対しパン・チルト機能選択の指令が与えられ、これこよりコメント表示制御部３１によってモニタ画面２には第６図に示すような文字記号が撮影画像と合成されて表示される。……（中略）……　一方、第５図において文字記号「ＺＯＯＭ」を接触すると、上記と同様にしてズーム機能選択が指令され、コメント表示制御部３１により第７図に示す文字記号が撮影画像と共に合成表示される。」（公報第３頁右下欄第７行〜第４頁左上欄第１０行）
２．「モニタ画面２の所定位置を接触するだけでテレビカメラ５の各種機能を選択でき、かつ選択された機能に応じてテレビカメラ５を調整することができるので、テレビカメラ５に対する操作性、機能性の向上をはかり得る。」（公報第４頁右上欄第１１行〜第１５行）
　同じく引用した刊行物５：特開昭６１−１１２２９９号公報には、「プラント監視装置」（発明の名称）に関し、図面と共に次の１、２のとおりの記載がある。
１．「以上の構成で、プラント状態量読込装置２は、一定周期ｔ０（本実施例では、ｔ０＝１秒周期として説明する）でプラント状態量Ｐ０をプロセス入力装置１を介して読み込む。」（公報第３頁左上欄第１行〜第４行）
２．「可変画面制御装置６はプラント状態量読込装置２より受け取った表示すべきプラント状態量の数値表示、図形パターン表示等の表示形態を決定すると共に、そのときの表示色を表示発生装置５から受け取り、可変画面を作成する。この可変画面と、対応する固定画面を固定画面制御装置７より取り出し、表示制御装置８で合成し、表示装置９に表示出力する」（公報第３頁右下欄第６行〜第１３行）
（４）対比・判断
　本件発明と各刊行物に記載の発明とを対比すると、次のことが認められる。
　刊行物１には、プロセス監視装置において、画像作成装置により作り出された監視対象プロセスの構成を示す監視用画像をＣＲＴ上に表示し、検出装置によって被監視物から異常が検出されると、監視用画面上に異常発生個所が点滅するなどの態様によって表示され、オペレータが監視用画面上の異常発生個所を指で触れることによって指定するだけ、自動的に指定された異常発生個所にビデオカメラが指向されて撮像が行なわれ、その異常を起こした被監視物のビデオカメラによる映像をＣＲＴ画面上で見ることが記載されている（刊行物１の上記１．２ ．の記載参照）。
　これらの記載によれば、刊行物１に記載のものも本件発明と同様の“監視装置”を対象としており、本件発明と基本的な構成は共通している。
　しかしながら、刊行物１に記載の監視装置は、監視用画面上に監視対象プロセスの異常発生個所を点滅するなどの態様によって表示し、その異常発生個所を指で触れることによって監視対象プロセスの異常発生個所を指定し、ビデオカメラの映像を表示するものであり、その点滅などの態様が、本件発明のように監視用画面のプラントプロセスフローのどの部分にビデオカメラが設置されているかを知らせる「カメラシンボル」に相当するものとはいえない。すなわち刊行物１には、本件発明のように“表示装置に表示されているプラントプロセスフローや可変データと共に「カメラシンボル」を表示させ、この「カメラシンボル」の指定に基づき、表示装置に表示されている監視制御用グラフィック画像の所定の場所に監視カメラウィンドウを表示する”点の構成（以下「構成Ａ」という。）については何も記載がなく、示唆もない。
　また、刊行物２には、ウインドウの移動、サイズ変更等、ウインドウ画面の変更指定時にＣＲＴディスプレイに選択的に表示されるウインドウ枠と、その枠内の各領域に割付けられたコマンドメニューが記載されており（刊行物２の上記の記載参照）、ここには本件発明でいう“予め定められたウィンドウ制御シンボルもつウインドウ”によってウインドウの表示状態を変更する技術は示されているといえるが、本件発明の上記構成Ａについては何も記載がなく、示唆もない。
　また、刊行物３には、プロセス画面を表示するプロセス表示装置において、任意の周期で可変データを変更し、表示すること（刊行物３の上記の記載参照）、また刊行物４には、ビデオカメラ５による撮影画像が表示されたモニタ画面２上にバン・チルト機能、ズーム機能、フォーカス機能を示す文字記号が合成表示され、これら文字記号にオペレータが接触することにより、カメラ移動台６に載置されたテレビカメラ５の各種機能を調整すること（刊行物４の上記１．２．の記載参照）、さらに刊行物５には、一定周期でプラント状態量を読み込み可変画面データを作成し、その可変画面データと固定画面を合成し、表示装置へ表示することは（刊行物５の上記１．２．の記載参照）、それぞれ記載されているが、それら刊行物３〜５のいずれにも本件発明の上記構成Ａについては何も記載がなく、示唆もない。
　そして、本件発明は、上記構成Ａを採用することによって、「現場監視用カメラの操作性を向上し、現場の必要な個所を連続的、かつ、即座に監視可能とする」（特許公報第２頁右欄第１行〜第３行）、「現場監視用テレビカメラ１５の存在を知らしめ」（特許公報第５頁右欄第９行、第１０行）、「オペレータが同一の場所で現場の状況の他、プラント系統の例えばプロセス量の状態変化を監視でき、これによりオペレータの負担軽減に役立つとともに、省スペース監視制御を実現できる。また、監視カメラウィンドウのウィンドウ　制御シンボルの中の任意の制御シンボルを指定することにより、例えば監視カメラウィンドウを消したり、監視カメラウィンドウを任意の場所に移動させることができ、監視カメラウィンドウに邪魔されずにプラント系統の監視したい場所を確実に監視でき、ひいては監視性能の向上を図ることができる。」（特許公報第５頁右欄第２９行〜第３９行）との明細書記載の顕著な作用効果を奏するものといえる。
　以上のように、上記各刊行物のいずれにも本件発明の上記構成Ａについて何も記載がなく、示唆もないのであるから、それら各刊行物の記載内容を組み合わせても本件発明が容易になし得るとはいえない。
　したがって、上記構成Ａを備えた本件発明は、刊行物１ないし５に記載の発明に基づいて容易に発明をすることができたものとはいえない。
IV【むすび】
　以上のとおりであるから、特許異議申立ての理由及び証拠によっては、本件請求項１に係る特許を取り消すことはできない。
　また、他に本件請求項１に係る特許を取り消すべき理由を発見しない。
　よって、結論のとおり決定する。
【異議決定日】
平成１３年６月１４日（２００１．６．１４）
【訂正の要旨】
訂正の要旨
ａ．特許請求の範囲の減縮を自的として、請求項２を削除する。
　これに伴い、特許請求の範囲の記載と発明の詳細な説明の記載との整合を図るため、次のｂ〜ｄ記載の訂正を行う。
ｂ．明細書第６頁第５行目〜第８頁第３行目までに、「先ず、請求項１に対応する……カメラリモート操作手段とを設けた構成である。」とあるを、「請求項１に記載の発明は上記課題を解決するために、現場の任意の場所に設置された現場監視用テレビカメラと、グラフィックコントローラによりカメラシンボル、プラントプロセスフローおよび可変データを含む監視制御用グラフィック画像を作成して監視制御用フレームメモリに格納するとともに、任意の周期で前記可変データを変更する監視制御画像作成手段と、この監視制御画像作成手段によって作成された監視制御用グラフィック画像を読み出して表示装置に表示する画像表示手段と、前記カメラシンボルの指定に基づき、前記表示装置に表示されている監視制御用グラフィック画像の所定の場所に予め定められたウインドウ制御シンボルをもつ監視カメラウィンドウを表示するとともに、この監視カメラウィンドウ内に前記テレビカメラからの現場監視映像を表示するカメラ映像表示手段とを備えた構成である。」と訂正する。
ｃ．明細書第９頁第９行目〜第１０頁第１０行目までに、「この状態において……監視能力の向上に寄与する。」とあるを、「この状態において監視制御用グラフィック画像の中のカメラシンボルを指定すると、表示装置に表示されている監視制御用グラフィック画像の所定の場所に所定の大きさのウィンドウ制御シンボルをもつ監視カメラウィンドウを表示し、この監視カメラウィンドウ内に前記テレビカメラからの映像を表示し、同一画面上に監視制御用グラフィック画像およびカメラ映像を映し出すことにより、オペレータの負担軽減および操作性を高めることができる。」と訂正する。
ｄ．明細書第２５頁第５行目〜同頁第１１行目までに、「請求項１の発明では、……操作性および監視性能の向上に寄与する。」とあるを、「請求項１記載の発明によれば、オペレータが同一の場所で現場の状況の他、プラント系統の例えばプロセス量の状態変化を監視でき、これによりオペレータの負担軽減に役立つとともに、省スペース監視制御を実現できる。また、監視カメラウィンドウのウィンドウ制御シンボルの中の任意の制御シンボルを指定することにより、例えば監視カメラウィンドウを消したり、監視カメラウィンドウを任意の場所に移動させることができ、監視カメラウィンドウに邪魔されずにプラント系統の監視したい場所を確実に監視でき、ひいては監視性能の向上を図ることができる。」と訂正する。
（５４）【発明の名称】
監視装置
（５７）【特許請求の範囲】
（１）　現場の任意の場所に設置された現場監視用テレビカメラと、グラフィックコントローラによりカメラシンボル、プラントプロセスフローおよび可変データを含む監視制御用グラフィック画像を作成して監視制御用フレームメモリに格納するとともに、任意の周期で前記可変データを変更する監視制御画像作成手段と、この監視制御画像作成手段によって作成された監視制御用グラフィック画像を読み出して表示装置に表示する画像表示手段と、前記カメラシンボルの指定に基づき、前記表示装置に表示されている監視制御用グラフィック画像の所定の場所に予め定められたウィンドウ制御シンボルをもつ監視カメラウィンドウを表示するとともに、この監視カメラウィンドウ内に前記テレビカメラからの現場監視映像を表示するカメラ映像表示手段とを備えたことを特徴とする監視装置。
【発明の詳細な説明】
　［発明の目的］
　（産業上の利用分野）
　本発明は、種々の物理的・化学的な変化状態を監視する監視装置に係わり、特に本来の監視制御用画像と現場監視用テレビカメラの映像とを表示する監視装置の改良に関する。
　（従来の技術）
　従来のプロセス計装システム等の監視装置においては、本来の監視制御画像を表示するＣＲＴディスプレィと現場監視用テレビカメラからの映像を表示する現場監視用表示装置とが併設され、監視制御用ＣＲＴディスプレィではプロセス計装システムの全体の動作状態を監視し、もう一方の現場監視用表示装置ではある特定の現場の状況を視覚的に監視することが行われている。
また、この種の監視装置では、マウス、トラックボール、タッチパネル等の座標入力装置とは別に、一般的なキーボード入力装置が設けられ、そのうち前者の座標入力装置では画面上の任意の位置（座標）を指示しながらプロセスの状態等の監視・制御を行うものである。このとき、マウス、トラックボールは、画面に表示されたカーソルを移動されて複数のメニューのうち所望とするメニューを選択し、タッチパネルでは画面に表示された複数のメニューのうち所望とするメニューに直接指を触れて選択することにより、操作面と表示面との一致化を図っている。
　一方、キーボード入力装置では画面上にメニューなどを表示しそれを操作してプロセスの監視を行うものであり、専ら確認などの目的のときに操作を行うのが一般的である。
　（発明が解決しようとする課題）
　しかしながら、以上のような監視装置においては、オペレータがシステム全体の動作状態を監視するとき監視制御用ＣＲＴディスプレィの前に行き、現場の動作状態を監視するとき現場監視用表示装置の前に行くことになるので、その都度オペレータが監視場所を変える必要があり、このためオペレータにとって非常に不便であり、労力的にも大変である。特に、近頃、省力化の下にオペレータの人員を削減する傾向にあるが、この場合には益々オペレータの苦痛が増大する。
　また、座標入力装置としてマウス、トラックボール、タッチパネル等を用いた場合、基本的には操作面と表示面が一致するので操作が容易であるが、現場監視用テレビカメラからの映像が別の表示装置に表示されるので、逆に操作面と表示面との一体感が失われ、実際に監視を行うときに違和感をもつ場合が多い。
本発明は上記事情にかんがみてなされたもので、複数の監視対象画像を同一の表示装置に表示して監視可能とし、かつ、１つの監視対象画像を表示する監視カメラウィンドウ自体を操作可能とし、オペレータの負担軽減および監視性能の向上を図る監視装置を提供することにある。
また、本発明の他の目的は、現場監視用カメラの操作性を向上し、現場の必要な個所を連続的、かつ、即座に監視可能とする監視装置を提供することにある。
　［発明の構成］
　（課題を解決するための手段）
　
請求項１に記載の発明は上記課題を解決するために、現場の任意の場所に設置された現場監視用テレビカメラと、グラフィックコントローラによりカメラシンボル、プラントプロセスフローおよび可変データを含む監視制御用グラフィック画像を作成して監視制御用フレームメモリに格納するとともに、任意の周期で前記可変データを変更する監視制御画像作成手段と、この監視制御画像作成手段によって作成された監視制御用グラフィック画像を読み出して表示装置に表示する画像表示手段と、前記カメラシンボルの指定に基づき、前記表示装置に表示されている監視制御用グラフィック画像の所定の場所に予め定められたウィンドウ制御シンボルをもつ監視カメラウィンドウを表示するとともに、この監視カメラウィンドウ内に前記テレビカメラからの現場監視映像を表示するカメラ映像表示手段とを備えた構成である。
　（作用）
　従って、請求項１に対応する発明は以上のような手段を講じたことにより、ローカルプロセッサからの指示に従ってグラフィックコントローラがカメラシンボル、プラントプロセスフローおよび可変データを含み、かつ、任意の周期で可変データを変更する監視制御用グラフィック画像を作成した後、監視制御用フレームメモリに格納する。そして、この監視制御用フレームメモリから監視制御用グラフィック画像を読み出してＣＲＴディスプレィに表示する。一方、現場監視用テレビカメラからの映像信号はビデオスイッチ、復調回路およびＡ／Ｄ変換部によって取り込み、デジタル映像データに変換されて現場監視画面用フレームメモリに格納する。従って、現場監視画面用フレームメモリからデジタル映像データを読み出すことにより、ＣＲＴディスプレィに現場監視映像を表示することができる。
　
この状態において監視制御用グラフィック画像の中のカメラシンボルを指定すると、表示装置に表示されている監視制御用グラフィック画像の所定の場所に所定の大きさのウィンドウ制御シンボルをもつ監視カメラウィンドウを表示し、この監視カメラウィンドウ内に前記テレビカメラからの映像を表示し、同一画面上に監視制御用グラフィック画像およびカメラ映像を映し出すことにより、オペレータの負担軽減および操作性を高めることができる。
　（実施例）
　以下、本発明の一実施例について第１図ないし第３図を参照して説明する。第１図は監視制御装置の内部構成を模式的に表した図、第２図はプロセスの監視制御装置と現場監視用テレビカメラとの関係を示す図、第３図は第１図の一部を具体化した図である。
すなわち、この監視装置は、第２図に示すようにオペレータのいる中央操作室に設置される監視制御装置１０とプラント等の現場に設置される現場監視用テレビカメラ１５とがコントロールライン、映像信号ライン等の信号ケーブル１６によって接続されている。この監視制御装置１０は、表示装置としてＣＲＴディスプレィ１１が用いられ、さらにＣＲＴディスプレィ１１の前面には座標入力装置である例えばタッチパネル１２が組み込まれている。１３はキーボードである。
　一方、現場監視用テレビカメラ１５にあっては、雲台１７上にテレビカメラ本体１８が載置されている。この雲台１７およびテレビカメラ本体１８は左右に旋回可能に設けられ、またテレビカメラ本体１８は上下に首振り可能に設けられている。
前記監視制御装置１０は、内部的には第１図に示す如く制御ユニット２０とタッチパネル１２を持つＣＲＴディスプレイ１１とからなり、制御ユニット２０は、内部バス２１上に所定のシーケンスプログラムに基づいて所定の処理を実行する中央制御部（以下、ＣＰＵと指称する）２２、プログラムデータ、測定データ及び処理データを格納する主メモリ２３、他の装置と伝送線路３１を介して制御データ、プロセスデータ等を授受しあう伝送制御部２４が設けられ、さらに第３図に具体的に示すタッチパネル制御部２５、ＣＲＴ表示制御部２６、現場監視用テレビカメラ１５をリモートコントロールするテレビカメラ制御部２７等によって構成されている。３２はタッチパネル制御ライン、３３は映像信号ライン、１６ａは現場監視用テレビカメラ１５へのリモートコントロールライン、１６ｂはテレビカメラ本体１７からの映像信号ラインである。
　次に、第３図はタッチパネル１２、タッチパネル制御部２５、ＣＲＴ表示制御部２６、テレビカメラ制御部２７等を詳細に示した図である。
　先ず、タッチパネル１２は、人間の指の接触位置，つまり入力点の座標を検出する入力座標検出部１２１、順次座標を走査しながら入力座標検出部１２１からの入力点の座標信号を取り込むタッチパネル走査部１２２およびタッチパネル制御インターフェース１２３等を有し、このタッチパネル１２で得られた入力点の座標信号はタッチパネル制御部２５に送られる。このタッチパネル制御部２５は、タッチパネル制御インターフェース２５１を有し、このタッチパネル制御インターフェース２５１とタッチパネル１２とがタッチパネル制御ライン３２によって接続されている。
　次に、テレビカメラ制御部２７は、現場監視用テレビカメラ１５から映像信号ライン１６ｂを経由して送られてくる映像信号に基づいて動作するビデオスイッチ２７１、…、同期信号および色信号の分離を行う信号分離回路２７２、テレビカメラリモート制御インタフェース２７３等によって構成されている。なお、ビデオスイッチ２７１、…は現場に設置された現場監視用テレビカメラ１５の台数分だけ設けられ、何れかのテレビカメラ１５かに応じて映像信号を切り替えて取り込む機能をもっている。さらに、ＣＲＴ表示制御部２６は監視制御画像作成手段とカメラ映像記憶手段とに分けられ、前者の監視制御画像作成手段には、ＣＰＵ２２と内部バス２１を介してデータの授受を行う内部バスインターフェース２６１、プログラムや描画、表示データを格納するローカルメモリ２６２、ＣＰＵ２２の動作指示に従って必要なブロックの管理を行い、かつ、ローカルメモリ２６２のプログラムに従ってグラフィックコントローラ２６３に描画や表示などの処理を行なわせるローカルプロセッサ２６４が設けられている。このグラフィックコントローラ２６３の処理によって得られた表示イメージデータは監視制御用レームメモリ２６５に書き込まれる。このフレームメモリ２６５の表示イメージデータはドットシフタ２６６、カラーコード変換回路２６７を経てビデオスイッチ２６８に送られる。２６９はローカルプロセッサ２６４等の動作指示に従って制御信号をコントローラ２６３、フレームメモリ２６５およびビデオスイッチ２６８に送出するプロセス制御用画面制御部である。一方、後者のカメラ映像記憶手段は、信号分離回路２７２によって分離されたビデオスイッチ２７１、…からのＮＴＳＣまたはＰＡＬ方式の色信号は復調回路２６１１、…、Ａ／Ｄ変換部２６１２、…を経由して量子化された色毎の現場監視画面用フレームメモリ２６１３、…に格納される。このフレームメモリ２６１３、…への書込みタイミングは信号分離回路２７２にて分離された同期信号を受けてサンプリング書込み制御回路２６１４で行い、またフレームメモリ２６１３、…からの読出しタイミングは現場監視用画面制御部２６１５にて書込みタイミングとは非同期で読み出され、ドットシフタ２６１６、…を経由してビデオスイッチ２６８に送られる。
　そして、これら両系の表示データはルックアップテーブル２６２１にて表示色が決定され、さらにＤ／Ａ変換部２６２２でアナログデータに変換されてＣＲＴディスプレイ１１に表示される。次に、上記装置の動作について説明する。先ず、オペレータ画面呼び出し操作を行うと、ローカルプロセッサ２６４は、オペレータが画面呼び出し操作を行うと、ＣＰＵ２２から内部バス２１を経由して送られてくる画面呼び出し指示に基づいてローカルメモリ２６２に格納されるプログラムを実行し、そのプログラム実行結果に従ってグラフィックコントローラ２６３に指示を与える。ここで、グラフィックコントローラ２６３は、描画や表示の処理を行い、得られた表示イメージデータを監視制御用フレームメモリ２６５格納していく。しかる後、グラフィックコントローラ２６３、プロセス制御用画面制御部２６９の制御を受けながらフレームメモリ２６５のシリアル出力ポートから表示イメージデータを読み出し、ドットシフタ２６６、カラコード変換回路２６７、ビデオスイッチ２６８、ルックアップテーブル２６２１等を経てＣＲＴディスプレイ１１の画面に例えば第４図に示すような本来の監視制御用画像を表示する。この第４図の画像はプロセス処理系をグラフィック画像にて模式的にわかり易く表示した通称プロセスフローと呼ばれる画像である。例えば実線は配管を意味し、その他の構成要素は通常使用されているシンボルマークをもって表している。また、ＦＩＣ２０１などの英数字はタグ番号と呼ばれる識別番号であり、その近傍の数字例えば５．００ＴＯＮ／Ｈはプロセス量である流量が５．００ＴＯＮ／Ｈであることを意味する。なお、このプロセス量などの可変数字は、例えば所定の周期ごとに制御ユニット２０自身または伝送線路３１を経由して送られてくるプロセス測定量を一時主メモリ２３に記憶した後、ＣＲＴ表示制御部２６のローカルプロセッサ２６４が読み出し要求を行って読み出してローカルメモリ２６２に格納し、その後、グラフィックコントローラ２６３に書き替え指示を与えることにより、プロセス量の変化を変更表示することになる。また、現場監視用テレビカメラ１５が設置されている場合、第４図に示すようにカメラの設置されている装置例えば蒸留塔を示すシンボルのそばにシンボル，つまりカメラシンボル４０が表示されている。一方、現場監視用テレビカメラ１５の映像信号は映像信号ライン１６ｂを経由しテレビカメラ制御部２７を介してＣＲＴ表示制御部２６に入力され、ここで第５図に示す監視カメラウィンドウ５０に適するような信号に変換されて現場監視画像用フレームメモリ２６１３に格納される。この状態においてオペレータがカメラシンボル４０に触れると、入力座標検出部１２１およびタッチパネル表示部１２２にてカメラシンボル４０に触れたことを検出し、タッチパネル制御ライン３２を経由してタッチパネル制御部２５からＣＲＴ表示制御部２６に入力される。ここで、ＣＲＴ表示制御部２６のローカルプロセッサ２６４がカメラシンボル４０に触れたことを判断すると、現場監視用画面制御部２６１５を通してフレームメモリ２６１３の現場監視用映像信号を読み出してＣＲＴディスプレイ１１の画面に第５図に示す監視カメラウィンドウ５０が表示される。この監視カメラウィンドウ５０には現場監視用テレビカメラ１５の映像信号の他に、映像信号上側のウィンドウコントロール入力エリアには「移動」、「＞＜」などのウィンドウ制御シンボル、映像信号下側のカメラ１５のリモートコントロール入力エリアには「←」、「ＰＡＮ」、「→」、「↑」、「ＴＩＬＴ」、「↓」、「ＩＮ」、「ＺＯＯＭ」、「ＯＵＴ」等のカメラ制御シンボルが表示される。この監視カメラウィンドウ５０周辺のウィンドウコントロール入力エリア、カメラリモートコントロール入力エリアなどは他のプロセス監視画面と同様の手順によって作成される。ここで、「＞＜」に触れると監視カメラウィンドウ５０が消去され、ＣＲＴディスプレイ１１の画面が第５図から第４図に変化する。また、監視カメラウィンドウ５０の下に位置する画面を見たい場合には監視カメラウィンドウ５０を移動することができる。すなわち、「移動」に触れた後、移動先例えば画面左上コーナーに触れるとウィンドウの移動エリアが２度目に触れたエリアつまり画面左上コーナーに来るように監視カメラウィンドウ５０が移動する。但し、このウィンドウ５０の輪郭が画面に納まる範囲内でのみしか移動しない。また、現場監視用テレビカメラ１５を左右に旋回（パン）させるとき、「←」、「ＰＡＮ」、「→」の矢印に触れることによって行う。例えば「←」に触れると画面は左側の映像を映し出し、「→」に触れると右側の映像を映し出す。
は高速旋回時に使用する。現場監視用テレビカメラ１５を上下にチルトする場合には「↑」、「ＴＩＬＴ」、「↓」内の矢印に触れることによって行う。各矢印の意味はテレビカメラ１５を上下に動かす以外はパンの場合と同様である。「ＩＮ」、「ＺＯＯＭ」、「ＯＵＴ」はカメラのズームイン、ズームアウトに使用する。ＩＮに触れると現場監視用テレビカメラ１５の映像の中心が拡大され、「ＯＵＴ」に触れると縮小される。これらの矢印およびＩＮ　ＯＵＴの入力エリアは触れ続けるとその機能が継続され、指を離すとその機能が停止する。
　次に、テレビカメラ本体１８を左にパンする場合について述べる。例えば第５図のような監視カメラウィンドウ５０が表示されている状態において「←」に触れると、この左側パンをタッチパネル１２で検出し、タッチパネル制御ライン３２、タッタパネル制御部２５を経由してＣＲＴ表示制御２６に入力される。ここで、ＣＲＴ表示制御部２６は、テレビカメラ制御部２７およびリモートコントロールライン１６ａを介してテレビカメラ１５の雲台１７に対し左ヘパンする旨の情報を送出する。これに伴って雲台１７ひいてはテレビカメラ本体１８が左にパンし、そのときのテレビカメラ本体１８の映像信号が映像信号ライン１６ｂ、テレビカメラ制御部２７を経由してＣＲＴ表示制御部２６に送出される。従って、このＣＲＴ表示制御部２６では左ヘパンした映像信号をウィンドウ５０内部にはめ込んで映像信号ライン３３を経由してＣＲＴディスプレイ１１に表示する。他のテレビカメラ１５の操作についても同様の要領で実行する。従って、以上のような実施例の構成によれば、監視制御用フレームメモリ２６５から読み出した表示イメージデータをカラーコード変換回路２６７を用いて色変換する構成であるので、ビットプレーンの枚数が少なく作業領域などプレーン一枚当りの容量が多いフレームメモリ２６５と、ビットプレーンの枚数が多く表示領域分の容量で十分なフレームメモリ２６１３とを互いに最適な容量で搭載できる。このことは、無駄となるフレームメモリの容量を減らし、機器をコンパクトにまとめることができる。また、ローカルプロセッサ２６４の処理によってテレビカメラ制御部２７内のビデオスイッチ２７１に入る複数台のテレビカメラ１５からの映像信号を適宜切り替えることができ、複数台のテレビカメラ１５、…に対応した現場監視ウィンドウ５０をコントロールできる。また、監視制御用表示イメージデータとテレビカメラ１５の映像データとを同一のＣＲＴディスプレイ１１に示できるので、オペレータが同一場所で監視することが可能となり、オペレータの負担軽減に大きく貢献する。また、ＣＲＴディスプレイ１１に表示された監視制御用表示イメージデータの任意の場所に監視カメラウィンドウ５０を表示し、この監視カメラウィンドウ５０内にテレビカメラ１５の映像信号を表示するので、システム全体の動作状態と特定の箇所の動作状態とを同時に監視でき、これによって労力の負担軽減だけでなく、迅速に必要な処置を講ずることができる。しかも、監視カメラウィンドウ５０内にウインドウコントロール入力エリアだけでなく、リモートコントロール入力エリアを設けたので、このリモートコントロール入力エリアの所望とするシンボルを指定することにより、現場のテレビカメラ１５を自在、かつ、所望とする状態に設定でき、操作性を高めることができ、監視能力の向上にも大きく貢献する。さらに、雲台１７およびテレビカメラ本体１８からのステータス信号を監視するようにすれば、雲台１７およびテレビカメラ本体１８の異常状態を画面で容易に監視できる。また、ＣＲＴディスプレイ１１に監視カメラウィンドウ５０を表示していないとき、雲台１７およびテレビカメラ本体１８の不要な箇所の電源を遮断することにより、省エネに寄与させることができる。
　なお、第４図ではカメラをシンボル化したが、そのデザインはどの様なものでもよい。また、カメラの被写体となるもの例えば炉や反応塔のシンボルの色、形を変えることにより、現場監視用テレビカメラ１５の存在を知らしめてもよい。この場合にはその被写体シンボルに触れることにより、監視カメラウィンドウが表示される。また、カメラシンボルの色などを変えることにより、テレビカメラ１５の異常などを表してもよい。さらに、雲台１７およびテレビカメラ本体１８の信号からカメラの状態を知ることも可能であるので、これらの信号に基づいてカメラシンボルの色を変えて雲台１７、テレビカメラ本体１８の状態を表すことも可能である。勿論、省エネ対策の観点からリモートコントロールライン１６ａを用いてテレビカメラ本体１８の主電源のオン、オフも可能である。同様に監視カメラウィンドウ５０が表示されていないとき、雲台１７およびテレビカメラ本体１８の不要箇所の電源を遮断することも可能である。さらに、タッチパネル１２に代えてマウス、トラックボール等を用いてもよいことは言うまでもない。その他、本発明はその要旨を逸脱しない範囲で種々変形して実施できる。
　［発明の効果］
　以上説明したように本発明によれば次のような効果を奏する。
　
請求項１記載の発明によれば、オペレータが同一の場所で現場の状況の他、プラント系統の例えばプロセス量の状態変化を監視でき、これによりオペレータの負担軽減に役立つとともに、省スペース監視制御を実現できる。また、監視カメラウィンドウのウィンドウ制御シンボルの中の任意の制御シンボルを指定することにより、例えば監視カメラウィンドウを消したり、監視カメラウィンドウを任意の場所に移動させることができ、監視カメラウィンドウに邪魔されずにプラント系統の監視したい場所を確実に監視でき、ひいては監視性能の向上を図ることができる。
【図面の簡単な説明】
　第１図ないし第５図は本発明に係わる監視装置の一実施例を説明するために示したもので、第１図は監視制御装置の内部構成を示すブロック図、第２図は監視装置の概略構成図、第３図は第１図の一部の構成を詳細に示す図、第４図は監視制御用表示イメージ画像のみ表示した図、第５図は監視制御用表示イメージ画像と監視カメラウィンドウとを表示した図である。
　１０…監視制御装置、１１…ＣＲＴディスプレイ、１２…タッチパネル、１５…現場監視用テレビカメラ、１７…雲台、１８…テレビカメラ本体、２０…制御ユニット、２５…タッチパネル制御部、２６…ＣＲＴ表示制御部、２６３…グラフィックコントローラ、２６４…ローカルプロセッサ、２６５…監視制御用フレームメモリ、２６７…カラーコード変換回路、２６８…ビデオスイッチ、２６１３…現場監視画面用フレームメモリ、２７…テレビカメラ制御部、２７１…ビデオスイッチ、２７２…信号分離回路。